(57)【要約】  【課題】感電防止と延焼防止のいずれをも良好に達成できる電装品カバーを提供する。  【解決手段】電装品を覆う電装品カバー１０４において、電装品カバー１０４を構成する部材がアルミニウム合金で形成され、電装品カバー１０４の表面に陽極酸化皮膜１０６が形成されていることを特徴としたもので、陽極酸化皮膜１０６は絶縁性を有し、かつ電装品カバー１０４はアルミニウム合金で形成されているので延焼を防止することができることから、感電防止と延焼防止のいずれをも良好に達成できる。【選択図】図１
2010024940.tif 000002
【特許請求の範囲】
【請求項１】
電装品を覆う電装品カバーにおいて、前記電装品カバーを構成する部材がアルミニウム合金で形成され、前記電装品カバーの表面に陽極酸化皮膜が形成されていることを特徴とする電装品カバー。
【請求項２】
陽極酸化皮膜は膜厚が５μｍ以上であることを特徴とする請求項１に記載の電装品カバー。
【請求項３】
陽極酸化皮膜は膜厚が２０μｍ以上の硬質陽極酸化皮膜であることを特徴とする請求項１に記載の電装品カバー。
【請求項４】
電装品は冷凍サイクル用圧縮機の制御基板及び／又は冷凍サイクル用圧縮機を用いた冷凍装置の制御基板である請求項１から３のいずれか一項に記載の電装品カバー。
【請求項５】
電装品は冷凍サイクル用圧縮機のプロテクタまたは起動リレーである請求項１から３のいずれか一項に記載の電装品カバー。
【発明の詳細な説明】
【技術分野】
【０００１】
本発明は、冷凍サイクル用圧縮機の制御基板及び／又は冷凍サイクル用圧縮機を用いた冷凍装置の制御基板などの電装品に好適なカバーに関するものである。
【背景技術】
【０００２】
従来、冷凍サイクル用圧縮機の制御基板及び／又は冷凍サイクル用圧縮機を用いた冷凍装置の制御基板などは、そのまま露出していると、感電したり、ゴミの付着により発火が発生したりするので、カバーで覆われている。
【０００３】
冷凍サイクル用圧縮機では、圧縮機の電動要素を起動するためのＰＴＣ（起動リレー）や加熱して所定温度となると電流を遮断するプロテクタなどの電装品が設けられていて、これらの電装品は従来からごみよけや防火などの目的あるいは感電防止などの目的でカバーにより覆われている（例えば、特許文献１参照）。
【０００４】
なお特許文献１では、電装品のカバーの材質は積極的には示されていないが、かかる従来のカバーは、一般的に合成樹脂又は金属により構成されている。一例として、圧縮機のターミナルカバーの材質としてフェノール系樹脂材を用いたものがある（例えば、特許文献２参照）。
【０００５】
なお、冷凍サイクルで使用される冷媒としては、不燃性のものと可燃性のものがあるが、最近は後者がよく用いられる傾向がある。したがって、冷凍サイクル用の電装品のカバーでは、防火対策が重要である。
【特許文献１】特開平１０−４７２５０号公報
【特許文献２】実開昭５９−６３６６３号公報
【発明の開示】
【発明が解決しようとする課題】
【０００６】
しかしながら、上述した従来の電装品カバーであって金属製のものは、それ自体は燃えないので電装品が高温になったり、炎が発生するなどの事態が生じた場合に、それ自体の燃焼により周囲へ延焼するという事態を防止することできる。また、金属製のカバーにより外部の炎が内部の電装品に及ぶことを効果的に防止できる。
【０００７】
しかし、金属製のカバーは導電性であるため、カバーの本来の目的である感電防止のためには、絶縁性部材を設けるなど感電防止手段が必要となる。一方、上述した従来の電装品カバーであって合成樹脂製のものは、感電防止には良好であるが、金属製ほど延焼防止効果がない。
【０００８】
すなわち、難燃性の合成樹脂を用いてカバーを作製しても、少なくとも短時間は炎が出てしまうという問題がある。すなわち、従来の電装品のカバーには、感電防止と延焼防止の双方を良好に達成できるものがなかったという課題があった。
【０００９】
本発明は、上記従来の課題を解決するためになされたもので、感電防止と延焼防止のいずれをも良好に達成できる電装品カバーを提供することを目的とする。
【課題を解決するための手段】
【００１０】
上記従来の課題を解決するために、本発明の電装品カバーは、電装品カバーを構成する部材がアルミニウム合金で形成され、電装品カバーの表面に陽極酸化皮膜が形成されていることで感電防止と延焼防止の双方を良好に達成できるという利点がある。
【発明の効果】
【００１１】
本発明の電装品カバーによれば、感電防止と延焼防止の双方を良好に達成できるため安全な電装品カバーを提供できるという効果が得られる。
【発明を実施するための最良の形態】
【００１２】
本発明の請求項１に記載の発明は、電装品を覆う電装品カバーにおいて、前記電装品カバーを構成する部材がアルミニウム合金で形成され、前記電装品カバーの表面に陽極酸化皮膜が形成されていることを特徴としたもので、前記陽極酸化皮膜は絶縁性を有し、かつ前記電装品カバーはアルミニウム合金で形成されているので延焼を防止することができることから、感電防止と延焼防止のいずれをも良好に達成できる電装品カバーを提供することができる。
【００１３】
請求項２に記載の発明は、請求項１に記載の発明において、陽極酸化皮膜は膜厚が５μｍ以上であることを特徴としたもので、前記陽極酸化皮膜は絶縁性に加えて耐久性を有し、かつ電装品カバーはアルミニウム合金で形成されているので延焼を防止することができることから、請求項１に記載の発明の効果に加えてさらに、電装品カバーの搬送や取り付け時に発生する傷で絶縁性を損なうことを防止することができ、感電防止と延焼防止のいずれをも良好に達成できる電装品カバーを提供することができる。
【００１４】
請求項３に記載の発明は、請求項１に記載の発明において、陽極酸化皮膜は膜厚が２０μｍ以上の硬質陽極酸化皮膜であることを特徴としたもので、前記陽極酸化皮膜は絶縁性に加えて耐久性を有し、かつ電装品カバーはアルミニウム合金で形成されているので延焼を防止することができることから、請求項１に記載の発明の効果に加えてさらに、皮膜の硬度が高く電装品カバーの搬送や取り付け時に発生する傷で絶縁性を損なうことを防止することができ、感電防止と延焼防止のいずれをも良好に達成できる電装品カバーを提供することができる。
【００１５】
請求項４に記載の発明は、請求項１から３のいずれか一項に記載の発明において、電装品は冷凍サイクル用圧縮機の制御基板及び／又は冷凍サイクル用圧縮機を用いた冷凍装置の制御基板であることを特徴としたもので、冷凍サイクル用圧縮機の制御基板及び／又は冷凍サイクル用圧縮機を用いた冷凍装置の制御基板において、感電防止と延焼防止のいずれをも良好に達成できる電装品カバーを提供することができる。
【００１６】
請求項５に記載の発明は、請求項１から３のいずれか一項に記載の発明において、電装品は冷凍サイクル用圧縮機のプロテクタまたは起動リレーであることを特徴としたもので、冷凍サイクル用圧縮機のプロテクタまたは起動リレーにおいて、感電防止と延焼防止のいずれをも良好に達成できる電装品カバーを提供することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における電装品のカバーが冷凍サイクル用圧縮機の電装品に適用された場合の部分断面図である。図１において、密閉容器１０１内には、図示省略の電動要素と、電動要素によって駆動される圧縮要素などが収容されている。これらの電動要素と圧縮要素は、周知の冷凍サイクルを構成し、冷蔵庫、冷凍庫、冷蔵・冷凍ショーケースなどに組み込まれて使用されることが一般的である。
【００１９】
図１の部分断面図に示されるように、電装品としてのプロテクタ１０２および起動リレー１０３が、密閉容器１０１の外壁１０１Ａに取り付けられている。プロテクタ１０２と起動リレー１０３にはそれぞれ電気接続用の配線ケーブル１０２Ａ、１０３Ａが接続されている。
【００２０】
なお、プロテクタ１０２は、所定温度以上となると、図示省略のバイメタルの動作により通電を遮断する安全装置である。
【００２１】
電装品カバー１０４は、カバーベース部１０５がアルミニウム合金で形成され、カバーベース部１０５の表面に陽極酸化皮膜１０６が形成されている。
【００２２】
図１は、電装品カバー１０４のカバーベース部１０５の全面に陽極酸化皮膜１０６を形成しているが、電装品カバー１０４の内側のみ、すなわち電装品側のみに陽極酸化皮膜１０６を形成することもできる。
【００２３】
以上のように、本実施の形態によれば、陽極酸化皮膜１０６は電気的な絶縁性を有し、かつカバーベース部１０５はアルミニウム合金で形成されているので延焼を防止することができることから、感電防止と延焼防止のいずれをも良好に達成できる。
【００２４】
陽極酸化皮膜１０６は膜厚が５μｍ以上であれば、電装品カバー１０４の搬送や取り付け時に発生する傷で絶縁性を損なうことを防止することができる。さらに膜厚が２０μｍ以上とすることで、陽極酸化皮膜１０６の硬度が高くでき、電装品カバー１０４の搬送や取り付け時に発生する傷に対して耐久力が向上して絶縁性を損なうことを防止することができる。
【００２５】
（実施の形態２）
図２は、本発明の実施の形態２における電装品のカバーが適用された冷蔵庫の部分断面図である。図２は、冷蔵庫の上方後部のみを示す部分断面図であり、冷凍装置である冷蔵庫の筺体１１１の裏面側には、凹部１１２が設けられていて、凹部１１２の内部には、電装品としての冷蔵庫の制御基板１１３が配されている。
【００２６】
この凹部１１２を塞いで制御基板１１３を覆うように電装品カバー１１４が設けられている。この電装品カバー１１４は、カバーベース部１１５がアルミニウム合金で形成され、カバーベース部１１５の表面に陽極酸化皮膜１１６が形成されている。
【００２７】
そのため、冷蔵庫の制御基板においても、実施の形態１で説明した同様の効果を得ることができる。
【産業上の利用可能性】
【００２８】
以上のように本発明による電装品を覆う電装品カバーは、電装品カバーを構成する部材がアルミニウム合金で形成され、電装品カバーの表面に陽極酸化皮膜が形成されているので、感電防止と延焼防止のいずれをも良好に達成できる電装品のカバーを提供することが可能となり、よって本発明は感電防止と延焼防止が求められる様々な電装品のカバーに利用可能である。
【図面の簡単な説明】
【００２９】
【図１】本発明の実施の形態１における電装品のカバーの適用例を示す圧縮機の部分断面図
【図２】本発明の実施の形態２における電装品のカバーの適用例を示す冷蔵庫の部分断面図
【符号の説明】
【００３０】
１０２  プロテクタ（電装品）
１０３  起動リレー（電装品）
１０４，１１４  電装品カバー
１０６，１１６  陽極酸化皮膜
１１３  制御基盤（電装品）
【図１】
2010024940.tif 000003
【図２】
2010024940.tif 000004